(57)【要約】【課題】  本考案は、照明及び電飾器具に、ミラー材とハーフミラー材の組み合わせ使用によって光の無限反射を可能にし、奥行き感のある装飾的な複数の光源の表現を単純な機構で実現する。【解決手段】本考案は、ハーフミラー加工アクリル板１を前面に配置して、そこから数センチメートル程度の隙間をあけ、その奥にミラー加工アクリル板２とＬＥＤ光源３を配置したものである。これにより、ハーフミラー加工アクリル板１を通して見るＬＥＤ光源３からの光は、次第に減衰しながら無限につづく奥行きを持った光源として見ることができ、それを照明及び電飾器具において装飾的な表現と使用することで課題を解決する。【選択図】  図１
0003104499.tif 000002
【実用新案登録請求の範囲】
【請求項１】
ミラー材とハーフミラー材を組み合わせて使用することにより、光源から照射される光が無限反射する状態を作り出す機構を有する照明及び電飾器具。
【考案の詳細な説明】
【技術分野】
【０００１】  本考案は、ミラー材とハーフミラー材を用いた、照明及び電飾器具に関するものである。
【背景技術】
【０００２】  照明及び電飾器具において、単純な機構によって奥行き感のある装飾的な複数の光源を表現することは困難で、そのような状態を作り出すには多数の光源と複雑な機構を必要としていた。
【考案の開示】
【考案が解決しようとする課題】
【０００３】  照明及び電飾器具において、奥行き感のある装飾的な複数の光源を表現するには、多数の光源や複雑な機構を必要とし、それにともないその器具の大きさや製造コストも大きくなる傾向にあった。本考案は、ミラー材とハーフミラー材の組み合わせにより、光源から照射される光が無限反射する状態を作り出し、奥行き感のある装飾的な複数の光源の表現を単純な機構で実現し、前述の欠点を解決しようとするものである。
【課題を解決するための手段】
【０００４】  本考案は、ハーフミラー加工を施したガラスやアクリルなどの透明素材を前面に配置して、そこから数センチメートル程度の隙間をあけ、その奥にミラー加工を施したアクリルなどの不透明素材と光源を配置したものである。ミラー面近くに配置された光源から照射される光は、ハーフミラー面に直進する。ハーフミラー面でその光は、そのまま透過して直進するものと、ミラー面側に反射するものの２種類に分かれる。その反射光はミラー面において、再びハーフミラー面側に反射する。そして、その反射光はハーフミラー面で、再び透過する光と反射する光の２種類に分かれる。この原理が無限に繰り返されることで、ハーフミラー面を通して見る光源からの光は、次第に減衰しながら無限につづく奥行きを持った光源として見ることができ、それを照明及び電飾器具において装飾的な表現と使用することで問題点を解決している。
【考案の効果】
【０００５】  上述の様に、本考案のミラー材とハーフミラー材の組み合わせによる光の無限反射機構は、単純な機構により、照明及び電飾器具において奥行き感のある装飾的な複数の光源の表現を可能としている。このような単純な機構による課題の解決は、製品の大きさや製造コストにおける効果ばかりではなく、その構造も単純な解決が可能であるため構造強度的にも利点が大きく、光の無限反射による奥行き感は見る角度によってその光源の間隔が変化するため、その装飾性はさらに高いものとなっている。
【考案を実施するための最良の形態】
【０００６】  光源を設置するための穴のあるミラー加工が施された不透明素材であるアクリル板等に、基盤や配線等が表から見えないように裏側から光源を設置し、表面のミラー面側に光源が配置されるようにする。その光源が配置されたミラー面から３センチメートル程度の隙間をあけ、ミラー面に対して並行にハーフミラー加工を施した透明素材であるアクリル板等を設置する。このハーフミラー面を通して、ミラー面に配置された１つの光源をみると次第に減衰しながら無限遠まで続いていくように見える奥行き感のある複数の光源として見ることが出来る。このように本考案の機構は、１つの光源を奥行き感のある装飾的な複数の光源として表現することができる。また、その複数の光源はハーフミラー面を見る角度によってその間隔が変化するので、本考案は人の動きによって光の見え方が変化する現象的な装飾を備えた照明及び電飾器具を可能にしている。
【実施例】
【０００７】  以下、添付図面に従って一実施例を説明する。図２に示すように３のＬＥＤ光源は、２のミラー加工が施された不透明素材の円盤状のアクリル板の穴に放射状に設置されている。図１に示すようにＬＥＤ光源３を制御するＬＥＤ制御基盤４や配線５は、そのミラー加工アクリル板２の裏面に設置されている。ＬＥＤ光源３のあるミラー加工アクリル板２は、交流電流を直流電流に変換するためのインバータ６を内蔵した、インバータケース７の階段状の段差に設置されている。このインバータケース７を構造として、ＬＥＤ光源３のあるミラー面から３センチメートルの隙間をあけて、ハーフミラー加工を施した円盤状の透明アクリル板１が、ミラー面に並行に設置されている。この照明器具は、天井１０から吊り下げられ下方を照射するタイプのもので、床面に立ってこの照明器具を見上げると、単純な放射状に設置されたＬＥＤ光源３は、見る角度によって複雑に変化する奥行き感のある複数の光源を表現しており、これにより照明器具の光そのものに装飾性を付加している。
【図面の簡単な説明】
【０００８】
【図１】本考案のミラー材とハーフミラー材の組み合わせ使用による光の無限反射機構を有する照明器具の一実施例の断面図である。
【図２】本照明器具のミラー材部分の詳細図である。
【図３】本照明器具の外観図である。
【符号の説明】
【０００９】１    ハーフミラー加工アクリル板
２    ミラー加工アクリル板
３    ＬＥＤ光源
４    ＬＥＤ制御基盤
５    配線
６    インバータ
７    インバータケース
８    電源コード
９    天井吊り下げ用電源プラグ
１０  天井
【図１】
0003104499.tif 000003
【図２】
0003104499.tif 000004
【図３】
0003104499.tif 000005
【手続補正書】
【提出日】平成15年12月22日(2003.12.22)
【手続補正１】
【補正対象書類名】実用新案登録請求の範囲
【補正対象項目名】全文
【補正方法】変更
【補正の内容】
【実用新案登録請求の範囲】
【請求項１】
照明及び電飾器具に、ミラー材とハーフミラー材の単純な組み合わせによって光の無限反射状態を作り出し、奥行き感のある装飾的な複数の光源の表現を可能にする機構。
本機構は、ハーフミラー加工を施したガラスやアクリルなどの透明素材を前面に配置して、そこから数センチメートル程度の隙間をあけ、その奥にミラー加工を施したアクリルなどの不透明素材と光源を配置したものからなる。このときミラー材とハーフミラー材は平行に設置する。ミラー面近くに配置された光源から照射される光は、ハーフミラー面に直進する。ハーフミラー面でその光は、そのまま透過して直進するものと、ミラー面側に反射するものの２種類に分かれる。その反射光はミラー面において、再びハーフミラー面側に反射する。そして、その反射光はハーフミラー面で、再び透過する光と反射する光の２種類に分かれる。この原理が無限に繰り返されることで、ハーフミラー面を前面として見る光源からの光は、次第に減衰しながら無限につづく奥行きを持った光源として見ることができ、それを照明及び電飾器具において装飾的な表現として使用することができる。
【手続補正書】
【提出日】平成16年5月17日(2004.5.17)
【手続補正１】
【補正対象書類名】実用新案登録請求の範囲
【補正対象項目名】全文
【補正方法】変更
【補正の内容】
【実用新案登録請求の範囲】
【請求項１】
ハーフミラー加工を施したガラスやアクリルなどの透明素材を前面に配置し、そこから数センチメートル程度の隙間をあけ、その奥にミラー加工を施したアクリルなどの不透明素材を前記透明素材に平行に配置し、前記不透明素材のミラー面側の近くに光源を配置したものからなる照明及び電飾器具